(57)【特許請求の範囲】
【請求項１】
内軌道輪と外軌道輪との間に転動体が介在された内側のベアリングの外軌道輪に一体に嵌め合う内軌道輪を有し、内軌道輪と外軌道輪との間に転動体が介在された外側のベアリングを配置することにより、前記内側のベアリングと前記外側のベアリングを二重に配置したベアリングであって、
次の比率で軌道輪の直径と転動体の直径に、設定されている事を特徴とするベアリング。
前記内側のベアリングの転動体が内接する前記内側のベアリングの外軌道輪の直径：前記外側のベアリングの転動体が内接する前記外側のベアリングの外軌道輪の直径＝前記内側のベアリングの転動体の直径：前記外側のベアリングの転動体の直径。
【発明の詳細な説明】
【技術分野】
【０００１】  本発明は、ベアリングに関する。
【背景技術】
【０００２】  従来のベアリングでは、ベアリングの中心軸を中心にベアリングの軌道輪が回転移動すると、ベアリングの内軌道輪とベアリングの外軌道輪では直径が違うため、ベアリングの内軌道輪と転動体の接触位置の移動距離とベアリングの外軌道輪と転動体の接触位置の移動距離は同じでも、ベアリングの内軌道輪と転動体の接触位置の移動角度と、ベアリングの外軌道輪と転動体の接触位置では移動角度が違うので、回転するベアリングにラジアル荷重が掛かりベアリングの内軌道輪とベアリングの外軌道輪が同時に転動体に接触すると、転動体がベアリングの軌道輪を滑走するという欠点が有った。【０００３】  転動体がベアリングの軌道輪を滑走する事で、転動体と軌道輪の摩擦により、摩耗、騒音、発熱等の問題を生じるので、転動体がベアリングの軌道輪を滑走しないベアリングが望まれていた。
例えば下記特許文献１に記載の多点接触玉軸受がある。
【先行技術文献】
【特許文献】
【０００４】
【特許文献１】公開番号２００３−３３６６４０
【発明の概要】
【発明が解決しようとする課題】
【０００５】  しかしながら、特許文献１の多点接触玉軸受は、ベアリングの軌道輪と転動体の接触位置を特定した物ではない。
このため、特許文献１の多点接触玉軸受は、転動体がベアリングの軌道輪を滑走しないベアリングというものではない。【０００６】  本発明は前記のような従来の問題を解決するものであり、回転するベアリングにラジアル荷重が掛かり、転動体の内側に接触するベアリングの軌道輪と、外側に接触するベアリングの軌道輪が同時に転動体に接触しても、転動体がベアリングの軌道輪を滑走しないベアリングにすることを目的とする。
【課題を解決するための手段】
【０００７】  特許文献１の多点接触玉軸受は、ベアリングの内軌道輪とベアリングの外軌道輪で転動体への接触位置を変えているが、転動体とベアリングの軌道輪の接触位置を特定することで、転動体とベアリングの内軌道輪の接触位置の移動角度と転動体とベアリングの外軌道輪の接触位置の移動角度を同じ角度にすることにより転動体がベアリングの軌道輪を滑走しない様に接触位置を配置した物ではない。
このため、特許文献１のベアリングは、回転するベアリングにラジアル荷重が掛かり、ベアリングの内軌道輪とベアリングの外軌道輪が同時に転動体に接触した時に転動体がベアリングの軌道輪を滑走しないベアリングという物では無かった。【０００８】  前記目的を達成するために、本発明のベアリングは、内側のベアリングの外軌道輪と一体に嵌め合う内軌道輪を有するベアリングを外側に設けて二個のベアリングを二重に配置することで、内側外側両方のベアリングの回転中心軸を中心に回転移動する転動体の内側に接触するベアリングの軌道輪の接触位置の移動距離と転動体の外側に接触するベアリングの軌道輪の接触位置の移動距離を同じ移動距離にすることによって、回転するベアリングにラジアル荷重が掛かり、ベアリングの回転中心軸を中心に転動体の内側に接触するベアリングの軌道輪と転動体の外側に接触するベアリングの軌道輪が同時に転動体に接触しても、転動体がベアリングの軌道輪を滑走しないベアリングとしたことを特徴とするベアリングである。【０００９】  本発明のベアリングは次の比率でベアリングの軌道輪と転動体の接触位置がベアリングの軌道輪を移動する時の円軌道の直径と転動体の直径に設定されている事を特徴とする。
内側ベアリングの外軌道輪と転動体の接触位置がベアリングの回転中心軸を中心に内側ベアリングの外軌道輪を移動する時の円軌道の直径：外側ベアリングの外軌道輪と転動体の接触位置がベアリングの回転中心軸を中心に外側ベアリングの外軌道輪を移動する時の円軌道の直径＝内側ベアリングの転動体の直径：外側ベアリングの転動体の直径。
上記の比率に設定すれば、内側ベアリングの内軌道輪が回転することにより転動体が回転して内側ベアリングの転動体の接触位置がベアリングの回転中心軸を中心に内側ベアリングの内軌道輪を移動する距離とベアリングの回転中心軸を中心に内側ベアリングの外道輪を移動する距離が同じ移動距離になり、外側ベアリングの転動体の接触位置がベアリングの回転中心軸を中心に外側ベアリングの内軌道輪を移動する距離とベアリングの回転中心軸を中心に外側ベアリングの外軌道輪を移動する距離が同じ移動距離になるので、回転するベアリングにラジアル荷重が掛かり、ベアリングの回転中心軸を中心に転動体の内側に接触するベアリングの軌道輪と転動体の外側に接触するベアリングの軌道輪が同時に転動体に接触しても転動体がベアリングの軌道輪を滑走しないベアリングにすることが出来る。【００１０】  内側ベアリングの外軌道輪と転動体の接触位置がベアリングの回転中心軸を中心に内側ベアリングの外軌道輪を移動する時の円軌道の直径→７０
外側ベアリングの外軌道輪と転動体の接触位置がベアリングの回転中心軸を中心に外側ベアリングの外軌道輪を移動する時の円軌道の直径→１００
内側ベアリングの転動体の直径→７
外側ベアリングの転動体の直径→１０
とすると、７０：１００＝７：１０に設定すればよい。
【発明の効果】
【００１１】  本発明によれば、内側ベアリングの内軌道輪が回転することにより内側ベアリングの転動体の接触位置が、ベアリングの回転中心軸を中心に内側ベアリングの内軌道輪を移動する距離とベアリングの回転中心軸を中心に内側ベアリングの外軌道輪を移動する距離が同じ距離になり、外側ベアリングの転動体の接触位置が、ベアリングの回転中心軸を中心に外側ベアリングの内軌道輪を移動する距離と、ベアリングの回転中心軸を中心に外側ベアリングの外軌道輪を移動する距離が同じ距離になるので、回転するベアリングにラジアル荷重が掛かり、ベアリングの回転中心軸を中心に転動体の内側に接触するベアリングの軌道輪と転動体の外側に接触するベアリングの軌道輪が同時に転動体に接触しても転動体がベアリングの軌道輪を滑走しないベアリングにすることが出来る。
【図面の簡単な説明】
【００１２】
【図１】従来のベアリングの正面概略図。
【図２】図１に示した従来のベアリングの側面断面図。
【図３】本発明のベアリングの正面概略図。
【図４】図３に示した本発明のベアリングのボールベアリングでの実施例の側面断面図。
【図５】図３に示した本発明のベアリングのローラーベアリングでの実施例の側面断面図。
【発明を実施するための形態】
【００１３】  以下、本発明のベアリングについて図面を参照しながら説明する、図１は従来のベアリングの軌道輪と転動体の接触位置の動きを示す正面概略図である、ベアリングの回転中心軸１９を中心にベアリングの内軌道輪１が位置６から位置８まで時計方向に回転すると内軌道輪１に接触している転動体２も時計方向に移動するが、転動体２が外軌道輪３にも同時に接触していると、図２の様にベアリングの内軌道輪１と転動体２の接触位置が転動体の回転中心軸１８を中心に転動体２の外周を移動する時の円軌道１１と、ベアリングの外軌道輪３と転動体２の接触位置が転動体の回転中心軸１８を中心に転動体２の外周を移動する時の円軌道１１の直径は同じなので、内軌道輪１と転動体２の接触位置の位置６から位置８までの移動距離と外軌道輪３と転動体２の接触位置の位置９から位置１０までの移動距離は同じになる。
【００１４】  ベアリングの内軌道輪１と転動体２の接触位置は位置６から位置８の距離で角度４＋角度５を時計方向に移動しても、ベアリングの外軌道輪３と転動体２の接触位置は位置９から位置１０の移動距離で角度４しか移動しないので、ベアリングの回転中心軸１９を中心にベアリングの内軌道輪１が回転移動すると、ベアリングの内軌道輪１と転動体２の接触位置の移動角度の角度４＋角度５と、ベアリングの外軌道輪３と転動体２の接触位置の移動角度の角度４では、移動角度が角度５違うので、ベアリングの内軌道輪１と転動体２の接触位置の移動距離とベアリングの外軌道輪３と転動体２の接触位置の移動距離は同じでも、移動角度は角度５違う為に、回転するベアリングにラジアル荷重が掛かり転動体の接触位置の移動角度が違うベアリングの内軌道輪１とベアリングの外軌道輪３が同時に転動体２に接触すると転動体２はベアリングの軌道輪を滑走する事になる。
【００１５】  図３に示した本発明のベアリングは、内側ベアリングの内軌道輪３９がベアリングの回転中心軸１９を中心に位置２０から位置２２まで角度４＋角度５を時計回りに回転すると内側ベアリングの内軌道輪３９に接触している内側ベアリングの転動体１５もベアリングの回転中心軸１９を中心に時計回りに移動するが、内側ベアリングの外軌道輪１４は、ベアリングの回転中心軸１９を中心に角度５反時計回りに回転するので、内側ベアリングの外軌道輪１４と内側ベアリングの転動体１５の接触位置が移動する距離は、位置２５から位置２３の距離−位置２５から位置２４の距離＝位置２４から位置２３の距離になり、内側ベアリングの内軌道輪３９と内側ベアリングの転動体１５の接触位置の移動距離の位置２０から位置２２と同じ距離になるので、内側ベアリングの転動体１５は内側ベアリングの軌道輪を滑走しない。
内側ベアリングの外軌道輪１４と一体に嵌め合った外側ベアリングの内軌道輪３８がベアリングの回転中心軸１９を中心に角度５反時計回りに回転すると、外側ベアリングの内軌道輪３８と外側ベアリングの転動体１６の接触位置が移動する距離は、位置２８から位置２７の距離＋位置２７から位置２６の距離＝位置２８から位置２６の距離になり、外側ベアリングの外軌道輪３６と外側ベアリングの転動体１６の接触位置の移動距離の位置３０から位置２９と同じ距離になるので、外側ベアリングの転動体１６もベアリングの軌道輪を滑走しない。
以上の説明の様に内側ベアリングの外軌道輪１４と一体に嵌め合う、内軌道輪３８を有する外側ベアリングを設けて二個のベアリングを二重に配置することで、ベアリングの回転中心軸１９を中心に転動体の内側に接触するベアリングの軌道輪の接触位置の移動距離と転動体の外側に接触するベアリングの軌道輪の接触位置の移動距離を同じ距離にする事ができるので、転動体がベアリングの軌道輪を滑走しないベアリングにする事ができる。
【００１６】  図４は、本発明のボールベアリングでの実施例の側面断面図である。
【００１７】  図５は、本発明のローラーベアリングでの実施例の側面断面図である。
【００１８】  以上実施例について詳細に説明したが、本発明はこのような実施例に限定されるものではなく、細部の構成、形状、配置、素材等において本発明の要旨を逸脱しない範囲において任意に変更実施できる。
【符号の説明】
【００１９】１  ベアリングの内軌道輪
２  転動体
３  ベアリングの外軌道輪
４  ベアリングの中心軸を中心とした移動角度
５  ベアリングの中心軸を中心とした移動角度
６  ベアリングの内軌道輪と転動体の接触位置
７  ベアリングの内軌道輪と転動体の接触位置
８  ベアリングの内軌道輪と転動体の接触位置
９  ベアリングの外軌道輪と転動体の接触位置
１０  ベアリングの外軌道輪と転動体の接触位置
１１  ベアリングの軌道輪と転動体の接触位置が転動体の回転中心軸を中心に転動体の外周を移動する時の接触位置の円軌道
１２  ベアリングの内軌道輪と転動体の接触位置がベアリングの回転中心軸を中心にベアリングの内軌道輪を移動する時の円軌道
１３  ベアリングの外軌道輪と転動体の接触位置がベアリングの回転中心軸を中心にベアリングの外軌道輪を移動する時の円軌道
１４  内側ベアリングの外軌道輪
１５  内側ベアリングの転動体
１６  外側ベアリングの転動体
１７  ベアリングの外軌道輪と転動体の接触位置
１８  転動体の回転中心軸
１９  ベアリングの回転中心軸
２０  内側ベアリングの内軌道輪と転動体の接触位置
２１  内側ベアリングの内軌道輪と転動体の接触位置
２２  内側ベアリングの内軌道輪と転動体の接触位置
２３  内側ベアリングの外軌道輪と転動体の接触位置
２４  内側ベアリングの外軌道輪と転動体の接触位置
２５  内側ベアリングの外軌道輪と転動体の接触位置
２６  外側ベアリングの内軌道輪と転動体の接触位置
２７  外側ベアリングの内軌道輪と転動体の接触位置
２８  外側ベアリングの内軌道輪と転動体の接触位置
２９  外側ベアリングの外軌道輪と転動体の接触位置
３０  外側ベアリングの外軌道輪と転動体の接触位置
３１  外側ベアリングの外軌道輪と転動体の接触位置
３２  内側ベアリングの転動体の回転中心軸
３３  外側ベアリングの転動体の回転中心軸
３４  外側ベアリングの内軌道輪と転動体の接触位置がベアリングの回転中心軸を中心に外側ベアリングの内軌道輪を移動する時の円軌道
３５  外側ベアリングの外軌道輪と転動体の接触位置がベアリングの回転中心軸を中心に外側ベアリングの外軌道輪を移動する時の円軌道
３６  外側ベアリングの外軌道輪
３７  内側ベアリングの内軌道輪と転動体の接触位置がベアリングの回転中心軸を中心に内側ベアリングの内軌道輪を移動する時の円軌道
３８  外側ベアリングの内軌道輪
３９  内側ベアリングの内軌道輪
【要約】
【課題】従来のベアリングでは、転動体がベアリングの軌道輪を滑走するので、転動体とベアリングの軌道輪の摩擦により、摩耗、騒音、発熱等の問題を生じるため、転動体がベアリングの軌道輪を滑走しないベアリングを提供する。
【解決手段】内側のベアリングの外軌道輪に一体に嵌め合う内軌道輪を有するベアリングを外側に設けて二個のベアリングを二重に配置する事により、ベアリングの回転中心軸を中心に回転移動する転動体の内側に接触するベアリングの軌道輪の接触位置の移動距離と転動体の外側に接触するベアリングの軌道輪の接触位置の移動距離を同じ移動距離にすることによって、回転するベアリングにラジアル荷重が掛かり、転動体の内側に接触するベアリングの軌道輪と転動体の外側に接触するベアリングの軌道輪が同時に転動体に接触しても、転動体がベアリングの軌道輪を滑走しないベアリングにする事ができる。
【選択図】図３【図１】
0006742574.tif 000002
【図２】
0006742574.tif 000003
【図３】
0006742574.tif 000004
【図４】
0006742574.tif 000005
【図５】
0006742574.tif 000006